(57)【要約】【課題】ネットワーク設定を自動的に行うことを可能にした画像表示システムを提供する。【解決手段】ＲＦＩＤタグ部１５及び無線ＬＡＮ部１７を備えたプロジェクタ１０と、リード／ライト部２３及び無線ＬＡＮ部２５を備えたパソコン２０とを備える。プロジェクタ１０のＲＦＩＤタグ部１５がパソコン２０のリード／ライト部２３が放出する電波を受信すると、パソコン２０に対して、少なくとも無線ＬＡＮを確立させるための情報を含んだＲＦＩＤタグ情報を送信する。パソコン２０は、リード／ライト部２３がＲＦＩＤタグ情報を受信すると、ＲＦＩＤタグ情報に基づいて無線ＬＡＮ部２５に対してネットワーク設定を自動的に行い、無線ＬＡＮ部２５からコンテンツをプロジェクタ１０に対して送信させる。【選択図】図２
2007184858.tif 000002
【特許請求の範囲】
【請求項１】
ＲＦＩＤタグ部及び自動的にネットワーク設定される第１の無線ＬＡＮ部を備えたプロジェクタと、
ＲＦＩＤ読取装置及び第２の無線ＬＡＮ部を備えた無線端末とを備え、
前記プロジェクタの前記ＲＦＩＤタグ部が前記無線端末のＲＦＩＤ読取装置が放出する電波を受信すると、前記無線端末に対してネットワーク設定を行うための情報を含んだＲＦＩＤタグ情報を送信し、
前記無線端末は、前記ＲＦＩＤ読取装置がＲＦＩＤタグ情報を受信すると、前記ＲＦＩＤタグ情報に基づいて前記第２の無線ＬＡＮ部に対して自動的にネットワーク設定し、前記第２の無線ＬＡＮ部から所定のコンテンツを前記第１の無線ＬＡＮ部に対して送信させることを特徴とする画像表示システム。
【請求項２】
前記プロジェクタは、前記第１の無線ＬＡＮ部により前記無線端末からのコンテンツを受信して当該コンテンツを表示させることを特徴とする請求項１記載の画像表示システム。
【請求項３】
前記プロジェクタと前記無線端末とをアドホックモードにより接続することを特徴とする請求項１又は２記載の画像表示システム。
【請求項４】
前記ＲＦＩＤタグ部は、前記ＲＦＩＤタグ情報として、プロジェクタ識別子、接続タイプ及び接続パラメータの各情報を送信することを特徴とする請求項１〜３の何れかに記載の画像表示システム。
【請求項５】
前記ＲＦＩＤタグ部は、前記ＲＦＩＤタグ情報として、更に、コンテンツ及びプレイタイプに関する情報を送信することを特徴とする請求項４記載の画像表示システム。
【請求項６】
前記無線端末は、コンテンツ及びプレイタイプの各情報に応じてコンテンツを送信することを特徴とする請求項５記載の画像表示システム。
【請求項７】
前記無線端末は、前記ＲＦＩＤ読取装置がＲＦＩＤタグ情報を受信したとき、既に他のプロジェクタと接続中であるときには、当該他のプロジェクタとの接続を切断し、新たにＲＦＩＤタグ情報を送信してきたプロジェクタとの間で無線接続をすることを特徴とする請求項１〜６の何れかに記載の画像表示システム。
【発明の詳細な説明】
【技術分野】
【０００１】
本発明は、プロジェクタを備えた画像表示システムに関し、特にプロジェクタと無線端末とのネットワーク接続に関する。
【背景技術】
【０００２】
従来、プロジェクタを利用した画像表示システムにおいては、例えばネットワークを介してコンテンツを配信し、プロジェクタで表示するような広告用途の表示システムが提案されている（特許文献１参照）。このシステムでは、プロジェクタとサーバーとのネットワークを確立するためには、ユーザが各々の機器に対してネットワーク設定を行う必要があった。
【特許文献１】特開２００５−１６７５７３号公報
【発明の開示】
【発明が解決しようとする課題】
【０００３】
しかしながら、通信確立を行うため各々の機器に対してネットワーク設定をすることは、ネットワークの知識を十分に有していないユーザーにとっては大変煩わしい作業であった。
【０００４】
本発明は、このような問題点を解決するためになされたものであり、ネットワーク設定を自動的に行うことを可能にした画像表示システムを提供することを目的とする。
【課題を解決するための手段】
【０００５】
本発明に係る画像表示シスシテムは、ＲＦＩＤタグ部及び自動的にネットワーク設定される第１の無線ＬＡＮ部を備えたプロジェクタと、ＲＦＩＤ読取装置及び第２の無線ＬＡＮ部を備えた無線端末とを備え、前記プロジェクタのＲＦＩＤタグ部が前記無線端末のＲＦＩＤ読取装置が放出する電波を受信すると、前記無線端末に対してネットワーク設定を行うための情報を含んだＲＦＩＤタグ情報を送信し、前記無線端末は、前記ＲＦＩＤ読取装置がＲＦＩＤタグ情報を受信すると、前記ＲＦＩＤタグ情報に基づいて前記第２の無線ＬＡＮ部に対して自動的にネットワーク設定し、前記第２の無線ＬＡＮ部から所定のコンテンツを前記第１の無線ＬＡＮ部に対して送信させる。本発明においては、ＲＦＩＤタグ部を備えたプロジェクタを、無線端末のＲＦＩＤ読取装置が放出する電波を受信できる範囲内に置くだけで、無線端末の第２の無線ＬＡＮ部に自動的にネットワーク設定がなされ、プロジェクタと無線端末との通信確立が自動的になされる。このため、従来のようにネットワーク設定を手作業で行う煩わしさから開放される。また、このことは、ネットワークの知識があまりないユーザーにとって極めて有用なものとなっている。このように、プロジェクタ及び無線端末のネットワーク設定を手作業でする必要がないので、無線端末側のコンテンツをプロジェクタにより表示させるための作業が簡単なものとなっている。
【０００６】
また、本発明に係る画像表示システムにおいて、前記プロジェクタは、前記第１の無線ＬＡＮ部により前記無線端末からのコンテンツを受信して当該コンテンツを表示させる。本発明においては、無線端末のネットワーク設定を手作業でする必要がないので、無線端末のコンテンツを表示させるための作業が簡単なものとなっている。
【０００７】
また、本発明に係る画像表示システムは、前記プロジェクタと前記無線端末とをアドホックモードにより接続する。本発明においては、アドホックモードにより無線接続しており、アクセスポイントを経由していないので、コンテンツの送信速度が早くなっている。
【０００８】
また、本発明に係る画像表示システムにおいて、前記ＲＦＩＤタグ部は、前記ＲＦＩＤタグ情報として、プロジェクタ識別子、接続タイプ及び接続パラメータの各情報を送信する。本発明においては、これらの情報に基づいて無線端末でのネットワーク設定を自動的に行うとともに、プロジェクタの機種に応じた設定が可能になっている。
【０００９】
また、本発明に係る画像表示システムにおいて、前記ＲＦＩＤタグ部は、前記ＲＦＩＤタグ情報として、更に、コンテンツ及びプレイタイプの各情報を送信する。本発明においては、これらの情報を無線端末側に送信するようにしてコンテンツを送信させるようにしているので、通信確立後に、コンテンツ再生のための設定の手間が省ける。
【００１０】
また、本発明に係る画像表示システムにおいて、前記無線端末は、前記読取装置がＲＦＩＤタグ情報を受信したとき、既に他のプロジェクタと接続中であるときには、当該他のプロジェクタとの接続を切断し、新たにＲＦＩＤタグ情報を送信してきたプロジェクタとの間で無線接続をするものである。本発明においては、例えばアドホックモードにより無線接続しているようなときに、１台の無線端末に複数のプロジェクタが競合した場合には、新たに設置されたプロジェクタとの接続を優先して混乱をさけるようにしている。
【発明を実施するための最良の形態】
【００１１】
実施形態１．
図１は本発明の実施形態１に係る画像表示システムの構成図であり、図２は画像表示システムを構成するプロジェクタ１０及びパソコン２０の詳細を示したブロック図である。なお、図２のプロジェクタ１０及びパソコン２０は、本実施形態の説明に必要な部分のみが抽出されて図示されている。プロジェクタ１０は、制御部１１、記憶部１２、画像処理部１３、投写部１４、ＲＦＩＤ（Radio Frequency Identification）タグ部１５、ネットワーク部１６及び無線ＬＡＮ部１７から構成されている。パソコン２０は、制御部２１、記憶部２２、リード／ライト部２３、アンテナ部２４及び無線ＬＡＮ部２５から構成されている。プロジェクタ１０の制御部１１及びパソコン２０の制御部２１は、何れもＣＰＵ及びそれを演算処理させるためのプログラムが格納された記憶装置により構成されている（何れも図示せず）。また、パソコン２０のリード／ライト部２３及びアンテナ部２４は、プロジェクタ１０のＲＦＩＤタグ部１５との間で、データの送受信を行うためのものであり、リード／ライト部２３はアンテナ部２４を介して例えばプロジェクタ１０のＲＦＩＤタグ部１５からの電波を受信するとそれを復調してデータを取り込み、また、ＲＦＩＤタグ部１５にデータを送信する場合には該当するデータを変調してアンテナ部２４を介して送信する。また、記憶部２２にはプロジェクタ１０により表示させるためのコンテンツ（ＭＰＥＧ等）等が格納されている。なお、リード／ライト部２３は本発明のＲＦＩＤ読取装置に相当するものである。
【００１２】
図３はＲＦＩＤタグ部１５の構成を示したブロック図である。このＲＦＩＤタグ部１５は、アンテナ部３１、電力生成部３２、制御部３３及び記憶部３４から構成されている。電力生成部３２は例えばコンデンサ及び整流回路から構成され、アンテナ部３１が受信したパソコン２０からのリード／ライト部２３の電波をアンテナ部３１が受信すると、その電波から電力を生成し、制御部３３及び記憶部３４に駆動電源として供給する。制御部３３は変調回路、復調回路等を内蔵しており、アンテナ部３１が受信した電波を復調してデータを取り出して記憶部３４に記憶したり、或いは、記憶部３４に記憶されたデータを変調してアンテナ部３１を介して送信する。また、この記憶部３４には、次のような情報（ＲＦＩＤタグ情報）が記憶されている。
【００１３】
・プロジェクタ識別子：機種名
・接続タイプ：無線ＬＡＮ
・接続パラメータ：プライベートＩＰ、サブネットマスク、
ＳＳＩＤ（Service Set ID)
・プレイリスト：コンテンツ名一覧又はコンテンツパス一覧
・プレイモード：回数、リピート及び／又は時刻
【００１４】
図４は上記の画像表示システムの動作を示したフローチャートであり、同図に基づいてその動作を説明する。
プロジェクタ１０のＲＦＩＤタグ部１５は、パソコン２０のリード／ライト部２３及びアンテナ部２４からの電波を受信すると、記憶部３４に記憶されているＲＦＩＤタグ情報を読み出して送信する（Ｓ１１）。パソコン２０の制御部２１は、リード／ライト部２３がＲＦＩＤタグ情報を受信すると（Ｓ２１）、そのＲＦＩＤタグ情報からパソコン２０がサポートしているプロジェクタであるかどうかを判定し（Ｓ２２）、サポートしていないプロジェクタであった場合には、ＲＦＩＤタグ情報の受信を待機する。制御部２１は、ＲＦＩＤタグ情報からサポートしているプロジェクタであると判定した場合には、リード／ライト部２３及びアンテナ部２４を介して応答コマンドを送信させる（Ｓ２３）。制御部２１は、接続タイプに対応した初期化処理を行う（Ｓ２４）。この例では、接続タイプは無線ＬＡＮであるから、ＲＦＩＤタグ情報から接続パラメータ（プライベートＩＰ、サブネットマスク、ＳＳＩＤ）に基づいてネットワーク設定を行い、アドホックモードでの通信確立を行う。
【００１５】
プロジェクタ１０の制御部１１は、ＲＦＩＤタグ情報を送信した後、所定時間内にパソコン２０からの応答コマンドを受信したかどうかを判定する（Ｓ１２、Ｓ１３）。なお、制御部１１は、この応答コマンドをＲＦＩＤタグ部１５を介して受信する。制御部１１は、所定時間内にパソコン２０からの応答コマンドを受信したという判定をした場合には、主電源（図示せず）がＯＦＦ状態であるかどうかを判定し（Ｓ１４）、ＯＦＦ状態である場合には主電源をオンにする（Ｓ１５）。そして、接続タイプに応じた初期化処理を行う（Ｓ１６）。ここでは、接続タイプは無線ＬＡＮであるので、それに対応した処理を行うことになる。
【００１６】
パソコン２０の制御部２１は、アドホックモードでの通信確立をした後に、ＲＦＩＤタグ情報のプレイモードを判別し、そのモードに対応した設定を行い（Ｓ２６）、続いて、プレイリストを判別し、プレイするコンテンツを記憶部２２から選択する（Ｓ２７）。そして、そのコンテンツを無線ＬＡＮ部２５を介してプロジェクタ１０側へストリーミングする（Ｓ２９）。このコンテンツの送信を上記のプレイモードに応じて繰り返し、終了の指示により終了する（Ｓ３０）。
【００１７】
プロジェクタ１０の無線ＬＡＮ部１７がパソコン２０の無線ＬＡＮ部２５から送信されたコンテンツを受信すると、画像処理部１３がその受信したコンテンツをデコードし、投写部１４によりコンテンツの映像をスクリーンに表示させる（Ｓ１７）。
【００１８】
以上のように本実施の形態１においては、ＲＦＩＤタグ部１５を備えたプロジェクタ１０を、リード／ライト部（ＲＦＩＤ読取装置）２３が放出する電波を受信できる範囲内に置くだけで、パソコン２０の無線ＬＡＮ部２５にネットワークの設定がなされ、プロジェクタ１０とパソコン２０との通信確立が自動的になされる。このため、従来のようにネットワークの設定を手作業で行う煩わしさから開放される。また、このことは、ネットワークの知識があまりないユーザーにとって極めて有用である。このように、プロジェクタ１０及びパソコン２０のネットワークの設定を手作業でする必要がないので、パソコン２０のコンテンツをプロジェクタ１０により表示させるための作業が簡単なものとなっている。
【００１９】
また、プロジェクタ１０とパソコン２０とをアドホックモードにより無線接続しており、アクセスポイントを経由していないので、コンテンツの送信速度が早くなっている。また、ＲＦＩＤタグ部１５は、ＲＦＩＤタグ情報として、プロジェクタ識別子、接続タイプ及び接続パラメータの各情報を送信しており、パソコン２０はこれらの情報に基づいてのネットワークを自動的に設定させるとともに、プロジェクタ１０の機種に応じた設定をしている。 更に、ＲＦＩＤタグ部１５は、ＲＦＩＤタグ情報として、更に、コンテンツ及びプレイタイプの各情報を送信しており、このため、通信確立後に、コンテンツ再生のための設定の手間が省ける。特に、プロジェクタ１０はキーボードのような入力手段を備えていないので、コンテンツ再生のための設定の手間が省けることは実際の機器の扱いにおいて有用である。
【００２０】
実施形態２．
なお、上記の実施形態１においては、１台のプロジェクタ１０と１台のパソコン２０との間で無線ＬＡＮによるネット接続を確立する例について説明したが、仮に、パソコン２０が或るプロジェクタ１０に接続されている状態において（このときのものをプロジェクタＡと称する）、他のプロジェクタ（プロジェクタＢと称する）が設置された場合についての動作を実施形態２として説明する。
【００２１】
図５は実施形態２におけるパソコン２０の動作を示したフローチャートであり、図４との相違点を中心に図示されている。パソコン２０の制御部２１が、プロジェクタＢのＲＦＩＤタグ情報を受信し（Ｓ２１）、そのＲＦＩＤタグ情報からパソコン２０がサポートしているプロジェクタであるという判定した場合（Ｓ２２）に、続いて、既にプロジェクタＡと接続している状態である場合には、プロジェクタＡに対して切断する旨のメッセージを送信した後に切断し、その後は、プロジェクタＢとの接続処理に移行する。
【００２２】
以上のように、本実施の形態２においては、例えばアドホックモードにより無線接続しているような場合に、１台のパソコンに複数のプロジェクタが競合した場合には、新たに設置されたプロジェクタとの接続を優先して混乱をさけるようにしている。
【００２３】
実施形態３．
また、上記の実施形態１においては、無線端末としてパソコン２０の例について説明したが、パソコン２０はサーバー又はクライアントの何れでもよく、また、コンテンツが格納されているデータベースと接続され、そのコンテンツを読み込むようにしたものであってもよい。更に、無線端末としては、パソコン２０に限らず無線ＬＡＮが確立されるようなものであれば他の機器であってもよい。また、無線接続の例としてアドホックモードの例について説明したが、インフラストラクチャモードによって接続してもよい。
【図面の簡単な説明】
【００２４】
【図１】本発明の実施形態１に係る画像表示システムの構成図である。
【図２】プロジェクタ及びパソコンの詳細を示したブロック図である。
【図３】ＲＦＩＤタグ部の構成を示したブロック図である。
【図４】上記の画像表示システムの動作を示したフローチャートである。
【図５】本発明の実施形態２のパソコンの動作を示したフローチャートである。
【符号の説明】
【００２５】
１０ プロジェクタ、１１ 制御部、１２ 記憶部、１３ 画像処理部、１４ 投写部、１５ ＲＦＩＤタグ部、１６ ネットワーク部、１７ 無線ＬＡＮ部、２０ パソコン、 ２１ 制御部、２２ 記憶部、２３ リード／ライト部、２４ アンテナ部、２５ 無線ＬＡＮ部、３１ アンテナ部、３２ 電力生成部、３３ 制御部、３４ 記憶部。
【図１】
2007184858.tif 000003
【図２】
2007184858.tif 000004
【図３】
2007184858.tif 000005
【図４】
2007184858.tif 000006
【図５】
2007184858.tif 000007